(57)【要約】【課題】圧力トランスデューサを保持し、これをＩＶポール等の支持部材に取り付けることができるホルダ装置を提供する。【解決手段】圧力トランスデューサ３１のホルダ装置１は、ホルダ本体２の前面側のブラケット部５に圧力トランスデューサの本体３２を着脱自在に保持し、側部のコネクタ保持部６にケーブル３４とコネクタ３３を着脱自在に保持する。ホルダ本体２の後部にクランプ体３が設けられる。ブラケット部５は、係合板部３２ａの外側縁部を上下方向にスライド自在に受け入れる有底のガイド溝７ａを形成する左右対向一対のブラケット片７を具備する。コネクタ保持部６は、コネクタ３３の接続側端部を前方に向け、コネクタ３３とケーブル３４を外側方から嵌合離脱可能で、ケーブル３４を後方へ延出させる。【選択図】図１
2022002605.tif 000002
【特許請求の範囲】
【請求項１】
背面がほぼ平面状で左右に延出する係合板部を具備し内部に流入する血液の圧力を検知して電気信号に変換する変換機構を内蔵する本体と、血圧監視装置のモニタにつながる中継ケーブルに接続するためのコネクタを末端に有し前記本体から延出するケーブルとを具備する血圧監視装置用の圧力トランスデューサを支持部材に支持するためのホルダ装置であって、
前面側に前記圧力トランスデューサの本体を着脱自在に保持するホルダ本体と、当該ホルダ本体の後部に設けられ前記支持部材を把持解放可能なクランプ体とを具備し、
前記ホルダ本体は、概略平面状の前面から突出するように設けられ前記圧力トランスデューサの係合板部の外側縁に係合するブラケット部と、前記圧力トランスデューサのケーブルのコネクタを着脱自在に保持するコネクタ保持部とを具備し、
前記ブラケット部は、前記ホルダ本体の前面との間に前記圧力トランスデューサの係合板部の外縁部を上下方向にスライド自在に受け入れる有底のガイド溝を形成する左右対向一対のブラケット片を具備し、
前記コネクタ保持部は、接続側端部を前方に露出させて前記コネクタ及びケーブルを外側方から嵌合離脱できるように側方へ開放した受け入れ凹部からなり、
前記受け入れ凹部は、前記コネクタの側方半部の外形に沿う内側形状で、当該コネクタを相対的に後方へ移動不可能に保持し、かつ前記ケーブルを後方へ延出させる形状に構成されることを特徴とする血圧監視装置用圧力トランスデューサのホルダ装置。
【請求項２】
前記クランプ体は、互いに枢支された第１及び第２の一対の把持片と、これら両把持片間に前記支持部材を把持解放できるように当該把持片を開閉操作するための締め付けねじ軸とを具備し、前記第１の把持片が前記ホルダ本体の後部に垂直のボルトにて固定されることを特徴とする請求項１に記載の血圧監視装置用圧力トランスデューサのホルダ装置。
【発明の詳細な説明】
【技術分野】
【０００１】
本発明は、医療用の血圧監視装置に接続される血圧トランスデューサの本体をＩＶポールのような支持部材に支持するためのホルダ装置に関する。
【背景技術】
【０００２】
各種の手術において、血圧測定を完全に連続的コントロール下に置くために観血式動脈圧測定が行われる。この測定法では、動脈内に血管内留置針を挿入し、動脈内の圧力をトランスデューサで検知、電気信号に変換、処理したものをモニタ画面上に圧波形として表示する。ここで用いられる圧力トランスデューサとして、非特許文献１に記載されたものが知られている。
この圧力トランスデューサは、血液の圧力を検知して電気信号に変換する変換機構を内蔵する本体と、血圧監視装置のモニタにつながる中継ケーブルに接続するためのコネクタを末端に有するケーブルと、輸液セットにつながる輸液チューブが接続される第１のチューブ接続部と、接患者につながる輸液チューブが接続される第２のチューブ接続部とを具備する。
非特許文献１には、この圧力トランスデューサの本体を保持し、これをＩＶポールに取り付けるホルダとポールマウントも記載されている。
【先行技術文献】
【非特許文献】
【０００３】
【非特許文献１】エドワーズライフサイエンス株式会社のウェブサイト（https://www.edwards.com/jp/professionals/products/truwave)令和２年３月４日検索
【発明の概要】
【発明が解決しようとする課題】
【０００４】
血圧監視装置用圧力トランスデューサを保持し、これをＩＶポール等の支持部材に取り付けることができる一層使い勝手のよいホルダ装置を提供することを目的としている。
【課題を解決するための手段】
【０００５】
以下、添付図面の符号を参照して説明するが、本発明はこれに限定されるものではない。
上記課題を解決するための、本発明の血圧監視装置用圧力トランスデューサ３１のホルダ装置１は、概略平面状の前面側に圧力トランスデューサの本体３２を着脱自在に保持するホルダ本体２と、当該ホルダ本体２の後部に設けられ、ＩＶポールのような支持部材を把持解放可能なクランプ体３とを具備する。ホルダ本体２は、前面４から突出するように設けられ圧力トランスデューサ３１の係合板部３２ａの外側縁に係合するブラケット部５と、圧力トランスデューサ３１のケーブル３４とコネクタ３３を着脱自在に保持するコネクタ保持部６とを具備する。ブラケット部５は、ホルダ本体２の前面４との間に圧力トランスデューサ３１の係合板部３２ａの外縁部を上下方向にスライド自在に受け入れる有底のガイド溝７ａを形成する左右対向一対のブラケット片７を具備する。コネクタ保持部６は、コネクタ３３の接続側端部を前方に露出させて、コネクタ３３とケーブル３４を外側方から嵌合離脱可能に側方へ開放した受け入れ凹部からなる。受け入れ凹部６は、コネクタ３３の側方半部の外形に沿う内側形状で、当該コネクタ３３を相対的に後方へ移動不可能に保持し、かつケーブル３４を後方へ延出させる形状に構成される。
【発明の効果】
【０００６】
本発明の血圧監視装置用圧力トランスデューサのホルダ装置１は、圧力トランスデューサの本体３２と共に、そこから延出するケーブル３４とコネクタ３３を容易に保持することができる。コネクタ３３は、保持状態において接続側端部が前方に露出し、かつ後方への動きが止められるから、モニタ側のケーブルコネクタを容易に接続することができる。
【図面の簡単な説明】
【０００７】
【図１】本発明に係るホルダ装置と、圧力トランスデューサの斜視図である。
【図２】図１のホルダ装置の正面図である。
【図３】図１のホルダ装置の平面図である。
【図４】図１のホルダ装置の側面図である。
【発明を実施するための形態】
【０００８】
図面を参照して本発明の実施の形態を説明する。
図１において、この実施形態のホルダ装置１で保持する圧力トランスデューサ３１は、内部に流入する血液の圧力を検知して電気信号に変換する変換機構を内蔵する本体３２と、図示しない血圧監視装置のモニタにつながる中継ケーブルに接続するためのコネクタ３３を末端に有し、本体３２から延出するケーブル３４と、図示しない輸液セットにつながる輸液チューブを本体３２に接続する第１のチューブ接続部３５と、接患者につながる図示しない輸液チューブを本体３２に接続する第２のチューブ接続部３６とを具備する。
【０００９】
圧力トランスデューサの本体３２は、背面がほぼ平面状で、左右に延出する係合板部３２ａを具備する。ケーブル３４は、本体３２の下部から延出する。第１のチューブ接続部３５は本体３２の下部に配置され、第２のチューブ接続部３６は上部に配置される。
【００１０】
ホルダ装置１は、ホルダ本体２とクランプ体３とを具備する。ホルダ本体２は、前面側に圧力トランスデューサの本体３２を着脱自在に保持する。クランプ体３は、ホルダ本体２の後部に設けられ、ＩＶポールのような支持部材Ｐを把持解放可能な第１及び第２の一対の把持片９，１０を具備する。
【００１１】
ホルダ本体２は、ブラケット部５と、コネクタ保持部６とを具備する。ブラケット部５は、ホルダ本体２の概略平面状の前面４から突出するように設けられ、圧力トランスデューサ本体３２の係合板部３２ａの外側縁に係合する。コネクタ保持部６は、圧力トランスデューサ３１のコネクタ３３と底から延出するケーブル３４を着脱自在に保持する。
【００１２】
ブラケット部５は、ホルダ本体の前面４との間に圧力トランスデューサの係合板部３２ａの外縁部を上下方向にスライド自在に受け入れる有底のガイド溝７ａを形成する左右対向一対のブラケット片７を具備する。
【００１３】
コネクタ保持部６は、側方へ開放した受け入れ凹部からなり、モニターケーブルへの接続側端部を前方に露出させてコネクタ３３及びケーブル３４を外側方から図１の矢線方向に嵌合離脱可能に受け入れることができる。コネクタ保持部６を構成する凹部は、コネクタ３３の側方半部の外形に沿う内側形状を有し、コネクタ３３を相対的に後方へは移動不可能に保持し、かつケーブル３４を後方へ延出させる形状に構成される。
【００１４】
クランプ体３は、互いに垂直軸８で枢支された第１及び第２の一対の把持片９，１０と、これら両把持片９，１０間に支持部材Ｐを把持解放できるように当該把持片９，１０を開閉操作するための締め付けねじ軸１１とを具備する。第１の把持片９がホルダ本体２の後部に、垂直のボルト１２にて固定される。
【００１５】
図示の実施形態においては、ホルダ本体２の後部側面にも、ブラケット部５が設けられている。
【符号の説明】
【００１６】
１    ホルダ装置
２    ホルダ装置の本体
３    クランプ体
４    本体の前面
５    ブラケット部
６    コネクタ保持部
７    ブラケット片
７ａ  ガイド溝
８    クランプ体の垂直軸
３１  圧力トランスデューサ
３２  圧力トランスデューサの本体
３２ａ  係合板部
３３  コネクタ
３４  ケーブル
３５  第１の輸液チューブ接続部
３６  第２の輸液チューブ接続部
【図１】
2022002605.tif 000003
【図２】
2022002605.tif 000004
【図３】
2022002605.tif 000005
【図４】
2022002605.tif 000006